(57)【要約】【課題】係止体とアーム体とにより構成されるドアガードが設けられたドア体において、防犯性を向上させる。【解決手段】ドア体１の屋内側面１ｄに起倒自在に設けられ、ドア体１の全閉姿勢で右側ドア枠対５側に配される係止体８に遊嵌するアーム体６を、前記屋内側面１ｄに直立する起立姿勢としたときに、ドア体１の開放に伴いアーム体６のＵ字部６ａ先端部と係止体８とが抜け止め状に係止して、ドア体１の開放規制をするよう構成するとともに、アーム体Ｕ字部６ａと係止体８との係止部に、アーム体Ｕ字部６ａと係止体８との係止力が所定の大きさに達することに伴いブザー装置１１を鳴動させる防犯装置９を設ける構成とする。【選択図】図４
2008082098.tif 000002
【特許請求の範囲】
【請求項１】
開口部を開閉揺動するドア体と、該ドア体の戸先側に設けられるドア枠とのあいだに、係止体、および、ドア体の所定の開放姿勢で前記係止体に係止してドア体の開放を規制する係止受け部が形成されたアーム体とで構成されるドアガードを設けるにあたり、前記係止体と係止受け部との係止部には、前記係止部における係止力が所定の大きさに達することに伴い警報作動する防犯装置が設けられているドア体における防犯装置。
【請求項２】
防犯装置は、係止部の係止力に基づいてスイッチ切り換えする検知スイッチと、該検知スイッチのスイッチ切り換えに伴い警報作動する警報体とにより構成されている請求項１に記載のドア体における防犯装置。
【請求項３】
検知スイッチは、アーム体の係止受け部と係止体とのあいだに配設され、所定の圧力に達することでスイッチ切り換えする圧力検知機能を備えたスイッチで構成されている請求項１または２に記載のドア体における防犯装置。
【請求項４】
検知スイッチは、アーム体の係止受け部と係止体とのあいだに配設され、所定の圧力で脱落する緩衝体と、該緩衝体の脱落でスイッチ切り換えするスイッチ体とにより構成されている請求項１または２に記載のドア体における防犯装置。
【請求項５】
防犯装置は、アーム体の係止受け部に着脱自在に装着されている請求項１乃至４の何れか一項に記載のドア体における防犯装置。
【発明の詳細な説明】
【技術分野】
【０００１】
本発明は、集合住宅の玄関等、建築物の開口部に開閉揺動自在に配されるドア体における防犯装置の技術分野に属するものである。
【背景技術】
【０００２】
一般に、集合住宅の玄関等の開口部には、所謂玄関ドア等のドア体が開閉揺動自在に設けられるが、この場合に、通常の施錠装置の他に、ドア体の屋内側から操作する防犯補助具を設けて、防犯性を高めることが提唱されている。前記防犯補助具としては、ドア体が所謂外開きのドア体である場合、ドア枠側に一端が固定されるチエンの他端部をドア体の屋内側面に係止させる防犯チエンや、ドア体の屋内側面に起倒自在に設けられ、ドア枠に設けた係止体に係脱自在に遊嵌するアーム体により構成されるドアガードが知られている。前記ドアガードは、アーム体をドア体の屋内側面に直立する起立姿勢に操作することにより防犯作用状態となり、ドア体が所定の開放位置にまで開放するのは許容するが、該開放位置に達するとアーム体先端部の係止受け部と係止体とが係止して、ドア体の前記所定の開放位置を越える開放を規制するように構成されている。そして、このような防犯補助具は、施錠装置を外してドア体を所定の開放量で開放した状態としても開放規制されて防犯性を維持することができるので、通風を得るためや、面識のない訪問者との応対時等に有効活用することができる。このようなものにおいて、施錠装置を解除して、防犯補助具を操作して防犯作用状態にしている場合や、不審者により施錠装置を破壊あるいは開放された場合では、ドア体が僅かに開放された状態となり、このようになると、前記僅かな隙間から防犯補助具を破壊され、不審者に侵入される惧れが生じるため、これに対する対策が望まれる。
【０００３】
この改善策として、防犯補助具が防犯チエンの場合では、導線が内装された外装体をチエンに被覆し、チエンを切断することに伴い導線が切断されると、警報器が警報を発音するように構成したものが提唱されている。
【特許文献１】実公平３−２６１７号公報
【発明の開示】
【発明が解決しようとする課題】
【０００４】
ところが、前記従来のものは、防犯チエンに適用されたものであり、ドアガードに対する防犯構成については何ら提唱がない。さらに、ドアガードを破壊しようとする場合では、アーム体を切断するという行為がなされるよりは、ドア体を強く引っ張って、係止体を枠体から、あるいは、アーム体をドア体から無理矢理外すことにより不法侵入を図ろうとすることが想定される。このため、前記従来の防犯チエンに用いられる防犯装置をそのままドアガードに採用することはできず、ドアガード用の防犯装置が別途必要であり、ここに本発明の解決すべき課題がある。
【課題を解決するための手段】
【０００５】
本発明は、上記の如き実情に鑑みこれらの課題を解決することを目的として創作されたものであって、請求項１の発明は、開口部を開閉揺動するドア体と、該ドア体の戸先側に設けられるドア枠とのあいだに、係止体、および、ドア体の所定の開放姿勢で前記係止体に係止してドア体の開放を規制する係止受け部が形成されたアーム体とで構成されるドアガードを設けるにあたり、前記係止体と係止受け部との係止部には、前記係止部における係止力が所定の大きさに達することに伴い警報作動する防犯装置が設けられているドア体における防犯装置である。
請求項２の発明は、防犯装置は、係止部の係止力に基づいてスイッチ切り換えする検知スイッチと、該検知スイッチのスイッチ切り換えに伴い警報作動する警報体とにより構成されている請求項１に記載のドア体における防犯装置である。
請求項３の発明は、検知スイッチは、アーム体の係止受け部と係止体とのあいだに配設され、所定の圧力に達することでスイッチ切り換えする圧力検知機能を備えたスイッチで構成されている請求項１または２に記載のドア体における防犯装置である。
請求項４の発明は、検知スイッチは、アーム体の係止受け部と係止体とのあいだに配設され、所定の圧力で脱落する緩衝体と、該緩衝体の脱落でスイッチ切り換えするスイッチ体とにより構成されている請求項１または２に記載のドア体における防犯装置である。
請求項５の発明は、防犯装置は、アーム体の係止受け部に着脱自在に装着されている請求項１乃至４の何れか一項に記載のドア体における防犯装置である。
【発明の効果】
【０００６】
請求項１、４の発明とすることにより、ドアガードが設けられたドア体において、不審者が侵入するのを未然に防止することができて、防犯性を高めることができる。
請求項２の発明とすることにより、防犯装置を簡単な構成にすることができる。
請求項３の発明とすることにより、さらなる構成の簡略化を果せる。
請求項５の発明とすることにより、防犯装置が邪魔にならないうえ、既存のドアガードに簡単に取り付けることができる。
【発明を実施するための最良の形態】
【０００７】
つぎに、本発明の第一の実施の形態について、図面に基づいて説明する。
図面において、１はマンション等の集合住宅の玄関に相当する躯体開口部に設けられ、屋外側に開放する所謂外開き式のドア体であって、該ドア体１は、上下、左右のドア枠体２、３、４、５により囲繞された躯体開口部を開閉するように構成されている。図１は、屋内側から見たドア体１の概略正面図であり、該図面において、ドア体１の左側部における上下端面と、上下側ドア枠体２、３とのあいだには、図示しないピボットヒンジが設けられており、これによって、ドア体１は、戸尻側となる左側縁部を揺動支点とし、躯体開口部を閉鎖する全閉姿勢から屋外方向に揺動して、躯体開口部を開放する開放姿勢となるように構成されている。
尚、図中、１ａはドア体１の開閉操作用の把手、１ｂは施錠装置に相当するサムターン、１ｃはドアクローザーである。
【０００８】
６は、屋内側からのみ操作が可能な防犯補助具を構成するドアガードのアーム体であって、該アーム体６は、円柱状の金属材をＵ字形に折り返し折曲することにより、先端に係止受け部となるＵ字部６ａが形成され、該Ｕ字部６ａから基端側に延出する上下一対の脚片６ｂによりガイド溝６ｃが形成されたものに構成されている。そして、アーム体６は、一対の脚片６ｂの基端部が、ドア体１の屋内側面１ｄの上下方向中間位置であって、操作しやすい上下方向位置の戸先側部位に設けた取り付けブラケット７に支持されている。前記取り付けブラケット７には、屋内方向に突出する上下一対の支持片７ａが形成されており、これら支持片７ａに上下方向を向く枢支体７ｂがそれぞれ回転自在に設けられ、各枢支体７ｂに前記一対の脚片６ｂの基端部をそれぞれ一体化することにより、アーム体６は、枢支体７ｂを介して水平方向揺動自在な状態で支持されている。そして、アーム体６は、一対の脚片６ｂが上下方向に対向する状態で、これらのあいだに左右方向を向くガイド溝６ｃが形成された状態でドア体１に支持され、ドア体屋内側面１ｄに沿い、Ｕ字部６ａ先端が戸尻側（左側）を向く倒伏姿勢から、ドア体屋内側面１ｄに対して直交し、Ｕ字部６ａ先端が屋内側を向く（屋内側に突出する）起立姿勢とのあいだを揺動自在に変姿するように構成されている。
さらに、アーム体脚片６ｂは、それぞれ基端側に段差部６ｄが形成されている。これによって、上下一対の脚片６ｂ間に形成されるガイド溝６ｃは、段差部６ｄよりもＵ字部６ａ（先端）側では、溝幅が第一溝幅Ｓ１に設定される幅狭な先端側ガイド溝６ｅが形成され、段差部６ｄよりもドア体１への支持部側（基端側）では、溝幅が前記第一溝幅Ｓ１よりも幅広となる第二溝幅Ｓ２に設定される基端側ガイド溝６ｆが形成されている。
【０００９】
８は、前記アーム体６の一対の脚片６ｂ間のガイド溝６ｃに遊嵌して、ガイド溝６内を相対移動自在に変位するよう設けられる係止体であって、該係止体８は、円柱状の本体部８ａの先端に本体部８ａよりも大径の抜け止め体８ｂが一体形成されて構成されている。そして、係止体８は、本体部８ａの基端部が、ドア体１の戸先側に位置する右側ドア枠体５のドア体１側（躯体開口部側、左側）に対向する右枠面５ａに固定されたベース部材８ｃに一体的に固定されることにより左右方向に延出し、抜け止め体８ｂがドア体１側に向けて突出するように配設されている。ここで、前記係止体本体部８ａの外径Ｒ１は、前記ドアガードガイド溝６ｃの先端側ガイド溝６ｅの溝幅である第一溝幅Ｓ１よりも小径となる（Ｒ１＜Ｓ１）ように設定され、抜け止め体８ｂの外径Ｒ２は、第一溝幅Ｓ１よりも大径で、かつ、基端側ガイド溝６ｆの溝幅である第二溝幅Ｓ２よりも小径となる（Ｓ１＜Ｒ２＜Ｓ２）ように設定されている。
【００１０】
そして、アーム体６のＵ字部６ａには、本発明が実施されたアーム体６用の防犯装置９が装着されている。
前記防犯装置９は、樹脂材で形成されるケーシング１０、該ケーシング１０に内装され、ケーシング１０に形成された発音部１０ａから警報音を発音する本発明の警報装置に相当するブザー装置１１、検知スイッチ１２、検知スイッチ１２のＯＮ作動（スイッチ切り換え）に伴いブザー装置１１を鳴動（発音）させる防犯回路１３とを備えて構成されている。この場合に、防犯装置９は、アーム体６のＵ字部６ａに一体的に取り付け可能で、かつ、邪魔にならないコンパクトな形状となるように構成されている。
【００１１】
前記ケーシング１０を図２（Ａ）、図４の一点鎖線で示す位置関係に基づいて説明すると、左側半部にブザー装置１１および防犯回路１３が内装され、ケーシング１０の屋内側面であって、ブザー装置１１配設部位には発音部となる開口１０ａが形成されている。また、ケーシング１０の右側半部の屋内側面部位には、屋外側に向けて凹設されたＵ字形の嵌着凹部１０ｂが形成されているとともに、該嵌着凹部１０ｂを形成することにより嵌着凹部１０ｂの内側にボス１０ｃが形成されている。そして、前記嵌着凹部１０ｂに、アーム体６のＵ字部６ａが屋内側から嵌着するように設定されており、該嵌着凹部１０ｂの外径側の周面には、複数のリブ１０ｄが突出形成され、ドアガードＵ字部６ａを圧入状に嵌着せしめることにより、ケーシング１０のアーム体６への着脱自在な一体化が図れるように設定されている。そして、ケーシング１０をこのような構成とすることにより、既設のドア体に対しても容易に防犯装置９を装着することができるようになっている。
尚、ケーシング１０をアーム体６に一体化するための構成は、前述したように、リブ１０ｄを形成した嵌着凹部１０ｂにＵ字部６ａを嵌着固定する構成の他に、例えば、ケーシングのドアガード取り付け部を平板状とし、ドアガードＵ字部をケーシングの取り付け部に螺子止め、接着等の手段を単独あるいは複数組み合わせて一体化するような構成としてもよい。
【００１２】
さらに、前記ボス１０ｃは、左側端部についてはドアガードＵ字部６ａの内径に沿うべく曲面１０ｅに形成されているが、右側端部は平板状の端面１０ｆに形成されており、該端面１０ｆに、所定の負荷（圧力）が作用することによりＯＮ作動する検知スイッチ１２が設けられている。
因みに、本実施の形態では、検知スイッチ１２としてロードセルを用いたスイッチが用いられているが、歪みゲージを用いたスイッチ、負荷検知センサ等、所定の負荷に達することでスイッチ切り換えのなされるものであれば何れのものを採用しても実施することができる。
【００１３】
そして、このように構成された防犯装置９が設けられたアーム体６は、図２（Ａ）、または、図４の一点鎖線に示すように、ドア体１の屋内側面１ｄに沿う倒伏姿勢では、ガイド溝６ｃのうち溝幅の広い第二溝幅Ｓ２に設定された基端側ガイド溝６ｆに係止体８が遊嵌する状態となっている。そして、アーム体６の倒伏姿勢（非作用姿勢）では、ドア体１を開閉作動をしたときに、アーム体６のＵ字部６ａと係止体８とが干渉することがなく、ドア体１の開閉作動を損なうことのない非作用状態となっている。前記非作用状態において、防犯装置９の検知スイッチ１２（ボス１０ｃの端面１０ｆ）は、係止体８とは離れた状態が保持されており、ドア体１を開閉作動させたとしても検知スイッチ１２が切り換え作動することはないように設定されている。
これに対し、ドア体１を全閉姿勢とした状態において、アーム体６を、前記倒伏姿勢から屋内方向に揺動させて起立姿勢（作用姿勢）とすると、図２（Ｂ）、または、図４の実線に示すように、アーム体６のＵ字 部６ａと係止体８の本体部８ａとが屋内外方向において対向し、アーム体ガイド溝６ｃの溝長さに相当するストロークの範囲内においてドア体１の開放作動を許容し、それ以上のドア体１の開放についてはＵ字部６ａの先端と係止体本体部８ａとの係止に基づいて規制するように設定されており、該起立姿勢の状態がアーム体６の防犯作用状態に設定されている。そして、この防犯作用状態において、防犯装置９の検知スイッチ１２（ボス１０ｃの端面１０ｆ）は、係止体本体部８ａに屋内外方向において対向する状態となっている。
【００１４】
このアーム体６の防犯作用状態では、前述したように、アーム体６によるドア体１の開放規制がなされるが、このとき、アーム体６は、ドア体１とともに屋外側に変姿することにより、係止体本体部８ａがガイド溝６ｃ内を相対移動し、基端側ガイド溝６ｆに係止体本体部８ａを遊嵌する状態から、先端側ガイド溝６ｅに係止体本体部８ａを遊嵌する状態となり（図３（Ａ）の仮想線参照）、この状態となると、アーム体６は、ドア体１の開放作動に伴い、先端側ガイド溝６ｅに遊嵌する係止体本体部８ａの抜け止め体８ｂにより係止体８からの抜け止めがなされて倒伏姿勢側への姿勢変姿を規制され、この状態で、先端側ガイド溝６ｅを係止体本体部８ａが相対移動するように設定されている。
そして、前記状態からさらにドア体１の開放作動がなされると、図３（Ｂ）、または、図４の二点鎖線に示すように、アーム体６のＵ字部６ａが係止体本体部８ａに近付いて、防犯装置９の検知スイッチ１２が設けられたボス部端面１０ｆと係止体本体部８ａ外周面とが当接する（Ｕ字部６ａと係止体本体部８ａとの係止）状態となり、この状態となると、ドア体１は、アーム体６が係止体８により移動規制を受けることにより開放を規制され、これによって、ドア体１の防犯補助具としての機能を果すように設定されている。
【００１５】
前記ドア体１の開放規制状態において、ドア体１を強く開放するような力、即ち、不審者が無理矢理ドア体１を開放させようとする開放異常状態となった場合では、アーム体６が係止体８を強く引っ張る状態となって、検知スイッチ１２と係止体本体部８ａとの当接部に大きな負荷が作用し、これによって、検知スイッチ１２をＯＮ作動するように設定されている。そして、検知スイッチ１２のスイッチ切り換えがなされると、防犯装置９は、ブザー装置１１を鳴動して発音部１０ａからブザー音を発音するように設定されている。このように、防犯装置９は、アーム体６が防犯作用状態となっているときにドア体１を開放されそう（開放異常状態）になった場合に、ブザー装置１１が鳴動してブザー音（警報音）を発音するので、ドア体１を開放しようとする不審者に対して威嚇することができて、住居内への不法侵入を未然に防止して、防犯性を高めることができるように構成されている。
尚、アーム体６が起立姿勢になっていることに気づかず、屋内にいる人がドア体１を開放することがままあり、このような場合に、検知スイッチ１２がＯＮ作動してブザー装置１１を鳴動させてしまうことが想定される。このため、本実施の形態の防犯装置９には、緊急にブザー装置１１の鳴動を緊急停止させるための補助スイッチ１１ａが設けられているが、該補助スイッチ１１ａは、ケーシング１０の右端部、即ち、アーム体６が防犯作用状態となる起立姿勢としたとき屋内側端部となる部位に位置して設けられており、屋外側から補助スイッチ１１ａの操作ができないように配慮されている。
【００１６】
叙述の如く構成された本形態において、ドア体１には施錠装置としてサムターン１ｂが設けられるとともに、屋内側からの操作で非作用状態から防犯作用状態となる防犯補助具としてのドアガードが設けられ、防犯性に優れるように構成されているが、このものでは、さらに、ドアガードを構成するアーム体６に防犯装置９が設けられており、アーム体６が起立姿勢となって防犯作用状態となっている場合に、強くドア体１が開放される操作がなされると、ブザー装置１１が鳴動して警報音が発音する。この結果、不審者がドア体１を無理矢理解放しようとしても、ブザー装置１１が鳴動して威嚇することができるので、不審者が侵入するのを未然に防止することが可能となる。
【００１７】
このように、本発明が実施されたものでは、防犯補助具として屋内側から防犯作用状態に操作することができるドアガードに、不法侵入が想定される行為があった場合に警報作動する防犯装置９を設ける構成としたので、不審者による侵入を未然に防止することができるが、さらに、このものでは、防犯装置９を検知スイッチ１２とブザー装置１１を備えたコンパクトなものに形成したので、構成の簡略化が果せるとともに、防犯装置９が邪魔になることがない。
【００１８】
さらに、このものでは、検知スイッチ１２を圧力検知スイッチを用いる構成としたので、さらなる構成の簡略化を果すことができる。
【００１９】
しかも、このものでは、防犯装置９をアーム体６側に設ける構成としたので玄関の通行の妨げにならないばかりでなく、防犯装置９の着脱が簡単にできるので、防犯装置９を別途購入して既存のドア体に装着することができるという利点もある。
【００２０】
尚、本発明は前記実施の形態に限定されないことは勿論であって、図５に示す第二の実施の形態のようにすることもできる。
第二の実施の形態のドア体１、ドアガードを構成するアーム体６、係止体８等の基本構成は、前記第一の実施の形態と同様の構成のものが用いられているので、同様の符号を付すことにより説明を省略する。そして、第二の実施の形態の防犯装置１４は、図５（Ａ）において、ケーシング１５の左半部に警報装置１６が設けられており、ケーシング１５の右半部はアーム体６のＵ字部６ａ外形状に沿って切り欠かれた切り欠き部１５ａに形成され、該切り欠き部１５ａにおける屋内側部位にアーム体Ｕ字部６ａが一体的に固定されている。そして、切り欠き部１５ａの屋外側右端部１５ｂからは、一体化されたアーム体Ｕ字部６ａの内径側に延出し、該延出先端から屋内方向へ突出する突部１５ｃが一体形成されており、該ボス１５ｃの右端面にスイッチ１７が設けられている。前記スイッチ１７は、前記第一の実施の形態のように所定の圧力になるまでスイッチ切り換えがなされない構成とは異なり、通常の操作（軽負荷）でＯＮ作動する構成となっている。さらに、このものでは、アーム体Ｕ字部６ａの近傍部位であって、スイッチ１７よりも基端側部位に位置する先端側ガイド溝６ｅに、該先端側ガイド溝６ｅを塞ぐ状態で緩衝体１８が一体的に設けられているが、該緩衝体１８は、所定の圧力（負荷）が作用することで破壊、または、脱落して先端側ガイド溝６ｅを連通状とするように設定されている。そして、図５（Ｂ）に示すように、ドア体１の開放に伴い、アーム体６が屋外側に変位して緩衝体１８が係止体本体部８ａに当接することによりドア体１の開放規制をし、ドア体１が強く開放方向に引っ張られた場合では、図５（Ｃ）に示すように、緩衝体１８が破壊、あるいは、脱落することにより、先端側ガイド溝６ｅが連通状となってアーム体６を屋外側に変位させ、これによって、スイッチ１７が係止体本体部８ａにより押圧されてＯＮ作動し、警報装置１６を警報作動させるように構成されている。そして、このものでも、アーム体６を防犯作用状態としているときに、無理な開放操作（開放異常）があることに伴い防犯装置１４が警報作動をするので、不審者による侵入を未然に防止することができて、優れた防犯性を備えたドア体１を構成することができる。
【００２１】
また、警報装置としては、ブザー装置の他に、警報音を発音する発音装置等、適宜警報装置を用いることができる。
さらに、検知スイッチを、警備会社の警報システムに連繋し、検知スイッチのスイッチ切り換えに伴い、警報システムに検知信号を送信するように構成することも可能であり、このようにすることにより、玄関ドアの開放異常を検知した場合に、例えば、居住者に対し携帯電話等により直接連絡したり、警備員を設置現場に派遣する等の警備会社による警備サービスを受けることができる。
【００２２】
さらに、図６、７に示す第三の実施の形態のようにすることもできる。このものは、ドア体１９の開閉方向が前記第一の実施の形態と異なり、屋内側に開放する所謂内開き式のドア体１９に構成されている。このため、ドアガードを構成するアーム体２０は、左右方向に長いガイド溝２０ａを備え、前記第一の実施の形態と同様の基本構成を備えて構成され、ドア体１の戸先側のドア枠２１に設けられるように構成されている。つまり、アーム体２０の基端部は、戸先側のドア枠２１の屋内側面２１ａに水平揺動自在に固定され、先端側のＵ字部２０ｂが屋内側に突出する非作用姿勢から、Ｕ字部２０ｂが戸尻側を向き、ドア体屋内側面１９ａに沿う作用姿勢とのあいだを揺動変姿するように設定されている。一方、係止体２２は、ドア体１９の屋内側面１９ａの戸先側に固定されるように構成されており、係止体２２を構成する本体部２２ａは、ドア体１９の戸先側部位からドア枠２１側に突出し、アーム体ガイド溝２０ａの基端側部位であって、溝幅の広い基端側ガイド溝２０ｃに遊嵌する部位に延出するように形成されている。尚、２２ｂは本体部２２ａよりも大径となる抜け止め体である。
そして、アーム体２０の溝幅の狭い先端側ガイド溝２０ｄの先端部となるＵ字部２０ｂに、前記第一の実施の形態と同様に構成された防犯装置９が設けられている。これによって、アーム体２０を作用姿勢として防犯作用状態とした状態において、ドア体１を無理矢理開放させるべく強く屋内側に向けて押し操作されたとき、係止体本体部２２ａがガイド溝２０ａ内を抜け止め状に相対移動して、防犯装置６の検知スイッチ１２に強く突き当たるように構成され、この状態になると、検知スイッチ１２がＯＮ作動してブザー装置１１を鳴動して、不審者を威嚇し、侵入を未然に防ぐ効果を得ることができることは、前記第一、第二の実施の形態と同様である。
【図面の簡単な説明】
【００２３】
【図１】玄関ドアの屋内側からの正面図である。
【図２】図２（Ａ）、（Ｂ）はそれぞれアーム体の倒伏姿勢を説明する正面図、起立姿勢を説明する側面図である。
【図３】図３（Ａ）、（Ｂ）、（Ｃ）はそれぞれドアガードの作動状態を説明する側面図、ドアガードによるドア体の開放規制状態を説明する側面図、防犯装置の斜視図である。
【図４】ドアガードの作用を説明する平面図である。
【図５】図５（Ａ）、（Ｂ）、（Ｃ）はそれぞれ第二の実施の形態におけるドアガードの防犯装置を説明する正面図、側面図、側面図である。
【図６】第三の実施の形態における玄関ドアの屋内側からの正面図である。
【図７】図７（Ａ）、（Ｂ）はそれぞれアーム体の作用姿勢を説明する平面図、正面図である。
【符号の説明】
【００２４】
１    ドア体
６    アーム体
６ｃ    ガイド溝
６ｅ    先端側ガイド溝
６ｆ    基端側ガイド溝
７    取り付けブラケット
８    係止体
８ａ    本体部
９    防犯装置
１０    ケーシング
１０ｂ    嵌着凹部
１０ｃ    ボス
１１    ブザー装置
１２    検知スイッチ
【図１】
2008082098.tif 000003
【図２】
2008082098.tif 000004
【図３】
2008082098.tif 000005
【図４】
2008082098.tif 000006
【図５】
2008082098.tif 000007
【図６】
2008082098.tif 000008
【図７】
2008082098.tif 000009